(57)【要約】      （修正有）【課題】球体を保持可能であり、操作性に優れる球体保持部材を提供する。【解決手段】外側方向に対して凸形状に屈曲した第１の保持面１を有する第１の保持部２と、第１の保持面と対面し、かつ第１の保持部とは反対側方向に対して凸形状に屈曲した第２の保持面３を有する第２の保持部４と、第１の保持部における第１の保持面とは異なる面と接続し、第１の保持部の外側方向に延設する第１の取っ手５と、第２の保持部における第２の保持面とは異なる面と接続し、第２の保持部の外側方向に延設する第２の取っ手６と、を備え、第１の保持面及び第２の保持面で球体を挟持することにより球体の外周の一部が露出した状態で球体を保持する。【選択図】図１
0003226351.tif 000002
【実用新案登録請求の範囲】
【請求項１】
外側方向に対して凸形状に屈曲した第１の保持面を有する第１の保持部と、
前記第１の保持面と対面し、かつ前記第１の保持部とは反対側方向に対して凸形状に屈曲した第２の保持面を有する第２の保持部と、
前記第１の保持部における前記第１の保持面とは異なる面と接続し、前記第１の保持部の外側方向に延設する第１の取っ手と、
前記第２の保持部における前記第２の保持面とは異なる面と接続し、前記第２の保持部の外側方向に延設する第２の取っ手と、
を備え、
前記第１の保持面及び前記第２の保持面で球体を挟持することにより前記球体の外周の一部が露出した状態で前記球体を保持する球体保持部材。
【請求項２】
前記第１の保持部及び前記第２の保持部と接続し、前記第１の保持部及び前記第２の保持部で前記球体を挟持した状態で前記第１の保持部及び前記第２の保持部の位置関係を固定可能な固定部をさらに備える請求項１に記載の球体保持部材。
【請求項３】
前記第１の保持面及び前記第２の保持面にそれぞれ設けられた、保持される前記球体の回転を抑制する滑り止め材をさらに備える請求項１又は請求項２に記載の球体保持部材。
【請求項４】
前記球体を保持する状態にて、前記第１の取っ手及び前記第２の取っ手が左右対称に位置する請求項１〜請求項３のいずれか１項に記載の球体保持部材。
【考案の詳細な説明】
【技術分野】
【０００１】
本開示は、球体保持部材に関する。
【背景技術】
【０００２】
固定アームと該固定アームに対し相対移動する可動アームをそなえ、これら両アームに設けた挟持部の間で物体を挟持するクランプに取り付けて使用される冶具セットが提案されている（例えば、特許文献１参照）。
【先行技術文献】
【特許文献】
【０００３】
【特許文献１】実全平０１−０４２８６１号公報
【考案の概要】
【考案が解決しようとする課題】
【０００４】
ところで、ゴルフボール等の球体の材料開発を行う際に、ゴルフボール等の球体を切断し、必要に応じて皮むきを行うことで表皮の材料分析を実施する場合がある。このとき、球体を万力で固定した状態で鋸を用いて球体を切ると切断面が閉まっていき切断が難しいため、ベルト式の電動鋸を使用して球体を切断する。電動鋸を使用する場合、球体を指先で固定して球体の回転を抑制しつつ球体を切断する必要があるため、切断時の球体の保持が難しく、熟練した人しか球体の切断をできないという問題がある。
【０００５】
本開示は、球体を保持可能であり、操作性に優れる球体保持部材を提供することを目的とする。
【課題を解決するための手段】
【０００６】
上記課題を解決するための具体的な手段には、以下の態様が含まれる。
＜１＞  外側方向に対して凸形状に屈曲した第１の保持面を有する第１の保持部と、
前記第１の保持面と対面し、かつ前記第１の保持部とは反対側方向に対して凸形状に屈曲した第２の保持面を有する第２の保持部と、
前記第１の保持部における前記第１の保持面とは異なる面と接続し、前記第１の保持部の外側方向に延設する第１の取っ手と、
前記第２の保持部における前記第２の保持面とは異なる面と接続し、前記第２の保持部の外側方向に延設する第２の取っ手と、
を備え、
前記第１の保持面及び前記第２の保持面で球体を挟持することにより前記球体の外周の一部が露出した状態で前記球体を保持する球体保持部材。
＜２＞  前記第１の保持部及び前記第２の保持部と接続し、前記第１の保持部及び前記第２の保持部で前記球体を挟持した状態で前記第１の保持部及び前記第２の保持部の位置関係を固定可能な固定部をさらに備える＜１＞に記載の球体保持部材。
＜３＞  前記第１の保持面及び前記第２の保持面にそれぞれ設けられた、保持される前記球体の回転を抑制する滑り止め材をさらに備える＜１＞又は＜２＞に記載の球体保持部材。
＜４＞  前記球体を保持する状態にて、前記第１の取っ手及び前記第２の取っ手が左右対称に位置する＜１＞〜＜３＞のいずれか１つに記載の球体保持部材。
【考案の効果】
【０００７】
本開示によれば、球体を保持可能であり、操作性に優れる球体保持部材を提供することができる。
【図面の簡単な説明】
【０００８】
【図１】本開示の一実施形態に係る球体保持部材の概略構成図である。
【図２】球体を保持した一実施形態に係る球体保持部材の概略構成図である。
【図３】変形例に係る球体保持部材の概略構成図である。
【図４】球体を保持した変形例に係る球体保持部材の概略構成図である。
【考案を実施するための形態】
【０００９】
以下、本考案を実施するための形態について詳細に説明する。但し、本考案は以下の実施形態に限定されるものではない。
【００１０】
本開示において「〜」を用いて示された数値範囲には、「〜」の前後に記載される数値がそれぞれ最小値及び最大値として含まれる。
本開示中に段階的に記載されている数値範囲において、一つの数値範囲で記載された上限値又は下限値は、他の段階的な記載の数値範囲の上限値又は下限値に置き換えてもよい。
【００１１】
［球体保持部材］
本開示の球体保持部材は、外側方向に対して凸形状に屈曲した第１の保持面を有する第１の保持部と、前記第１の保持面と対面し、かつ前記第１の保持部とは反対側方向に対して凸形状に屈曲した第２の保持面を有する第２の保持部と、前記第１の保持部における前記第１の保持面とは異なる面と接続し、前記第１の保持部の外側方向に延設する第１の取っ手と、前記第２の保持部における前記第２の保持面とは異なる面と接続し、前記第２の保持部の外側方向に延設する第２の取っ手と、を備え、前記第１の保持面及び前記第２の保持面で球体を挟持することにより前記球体の外周の一部が露出した状態で前記球体を保持する。
【００１２】
本開示の球体保持部材は、対面する第１の保持面と第２の保持面で球体を挟持することにより前記球体の外周の一部が露出した状態で球体を保持する。さらに、本開示の球体保持部材は、第１の保持部及び第２の保持部のそれぞれから延設する第１の取っ手及び第２の取っ手を備えるため、これらを把持した状態で電動鋸を使用することにより球体保持部材に保持された球体の露出した領域を切断できる。以上により、本開示の球体保持部材は、切断時の球体保持が容易であり、操作性に優れるため、熟練した人以外でもゴルフボール等の球体を容易に切断できる。
【００１３】
本開示の球体保持部材に保持される球体としては、特に限定されず、ゴルフボール、パークゴルフボール、卓球用ボール、硬式テニスボール、軟式野球ボール、硬式野球ボール等のボールが挙げられる。
【００１４】
以下、図面を用いて本開示の球体保持部材の一実施形態について説明する。図１は、本開示の球体保持部材の概略構成図である。
【００１５】
一実施形態に係る球体保持部材１０は、第１の保持部２と、第２の保持部４と、第１の取っ手５と、第２の取っ手６と、ボルトとナットとを有する固定部７と、を備える。
【００１６】
図２に示すように、球体保持部材１０は、第１の保持部２と、第２の保持部４との間にゴルフボール２０を保持するための部材である。
【００１７】
第１の保持部２は、第２の保持部４と対面する側とは反対である外側方向に対して凸形状に屈曲した第１の保持面１を有する。
【００１８】
第２の保持部４は、第１の保持面１と対面し、かつ第１の保持部２とは反対側方向に対して凸形状に屈曲した第２の保持面３を有する。
【００１９】
第１の保持部２及び第２の保持部４のそれぞれから延設する部材に設けられた開口部にボルトをそれぞれ挿通させ、ボルトをナットで締めることでボルトとナットとを有する固定部７に第１の保持部２及び第２の保持部４のそれぞれが保持されている。
【００２０】
第１の保持面１及び第２の保持面３でゴルフボール２０を挟持することによりゴルフボール２０の外周の一部が露出した状態で、球体保持部材１０にゴルフボール２０が保持される。
【００２１】
固定部７におけるボルトをナットで締めることで第１の保持部２と、第２の保持部４との間にゴルフボール２０を挟持した状態で第１の保持部２及び第２の保持部４の位置関係を固定できる。さらに、ボルトを緩めることで第１の保持部２及び第２の保持部４の位置関係を解除し、ゴルフボール２０を球体保持部材１０から取り外すことができる。
【００２２】
第１の取っ手５は、第１の保持部２における第１の保持面１とは反対側の面と接続し、第１の保持部２の外側方向に延設している。第２の取っ手６は、第２の保持部４における第２の保持面３とは反対側の異なる面と接続し、第２の保持部４の外側方向に延設している。
【００２３】
第１の取っ手５及び第２の取っ手６は、球体保持部材１０に保持させたゴルフボール２０を切断する際に、把持するための部材である。
【００２４】
図２に示すように、球体保持部材１０は、ゴルフボール２０を保持する状態にて、第１の取っ手５及び第２の取っ手６が左右対称に位置する。これにより、ゴルフボールの切断時に球体保持部材１０の把持、移動等が容易となる。
【００２５】
第１の取っ手５及び第２の取っ手６が左右対称に位置する構成としては、図２に示すように、第１の取っ手５及び第２の取っ手６が水平方向（図２における横方向）に対して傾斜した構成であってもよい。例えば、第１の取っ手５及び第２の取っ手６は、水平方向に対して３０°以下傾斜していてもよい。
また、第１の取っ手５及び第２の取っ手６は、図２に示すように固定部７側に傾斜していてもよく、固定部７とは反対側に傾斜していてもよい。
【００２６】
（変形例）
次に、一実施形態の球体保持部材の変形例について、図３及び図４を用いて説明する。第１の取っ手５及び第２の取っ手６が左右対称に位置する構成としては、図３に示すように、球体保持部材３０は、第１の取っ手５及び第２の取っ手６が同一直線上に位置する構成であってもよい。また、図４に示すように、球体保持部材３０は、ゴルフボール２０を保持する状態にて、第１の取っ手５及び第２の取っ手６が同一直線上に位置する構成であってもよい。
【００２７】
以下、球体保持部材の好ましい形態について説明する。
【００２８】
第１の保持部の材質及び第２の保持部の材質としては、強度の観点から、ステンレス鋼、アルミニウム等の金属であることが好ましい。
【００２９】
第１の保持面の面積及び第２の保持面の面積としては、第１の保持面及び第２の保持面により球体を保持できる面積であれば特に限定されない。例えば、第１の保持面の面積及び第２の保持面の面積は、それぞれ独立に、球体の表面積の１０％〜４５％であってもよく、球体の表面積の１５％〜３５％であってもよい。
【００３０】
また、第１の保持面の外周長さ及び第２の保持面の外周長さとしては、第１の保持面及び第２の保持面により球体を保持できる外周長さであれば特に限定されない。例えば、第１の保持面の外周長さ及び第２の保持面の外周長さは、それぞれ独立に、球体の直径の１倍から３倍であってもよく、球体の直径の１．５倍〜２．５倍であってもよい。
【００３１】
第１の取っ手及び第２の取っ手の材質としては、強度の観点から、ステンレス鋼、アルミニウム等の金属であることが好ましい。
【００３２】
本開示の球体保持部材は、第１の保持面及び第２の保持面の少なくとも一方、好ましくは第１の保持面及び第２の保持面のそれぞれに、保持される球体の回転を抑制する滑り止め材が設けられていてもよい。これにより、球体切断時に球体保持部材に保持された球体が回転することを抑制できる。
【００３３】
滑り止め材としては、球体の回転を抑制可能であれば特に制限されず、従来公知の滑り止めシート等であってもよい。球体の種類に応じて滑り止め材は適宜変更してもよい。滑り止め材を設ける方法としては、例えば、第１の保持面及び第２の保持面の少なくとも一方に、従来公知の滑り止めシートを貼り付ける方法が挙げられる。
【００３４】
本開示の球体保持部材は、前述のように、ボルトとナットとを有する固定部に第１の保持部及び第２の保持部がそれぞれ接続されていてもよく、棒状の接続部材の両端側に第１の保持部及び第２の保持部がそれぞれ接続されていてもよい。また、球体の挟持、及び球体の取り外しが容易となる観点から、棒状の接続部材は屈曲可能であり、棒状の接続部材の屈曲度合いを変更することで第１の保持面と第２の保持面との距離を調節できる構成であってもよい。
【００３５】
（球体保持部材の製造方法の一例）
ゴルフボールを保持する本開示の球体保持部材は、例えば以下の方法により製造することができる。まず、ティースプーン等の持ち手の端部に開口部を有するスプーンなどを２つ用意し、スプーンのつぼの裏側に第１の取っ手又は第２の取っ手となる棒状部材をそれぞれ溶接する。これにより、第１の取っ手が設けられた第１の保持部及び第２の取っ手が設けられた第２の保持部がそれぞれ得られる。
【００３６】
次に、第１の保持部及び第２の保持部にそれぞれ設けられた前述の開口部にボルトを挿通させ、ボルトをナットで締めることにより、ゴルフボールを保持する本開示の球体保持部材を製造することができる。また、保持対象とする球体の大きさに応じて第１の保持部及び第２の保持部を形成するための部材を変更することで、ゴルフボール以外の球体を保持する本開示の球体保持部材を製造することができる。
【符号の説明】
【００３７】
１  第１の保持面
２  第１の保持部
３  第２の保持面
４  第２の保持部
５  第１の取っ手
６  第１の取っ手
７  固定部
１０、３０  球体保持部材
２０  ゴルフボール
【図１】
0003226351.tif 000003
【図２】
0003226351.tif 000004
【図３】
0003226351.tif 000005
【図４】
0003226351.tif 000006